(57)【要約】      （修正有）【課題】接続固定金物などを使用せず、収納保管時に垂直板部分による空間占有体積を減らし、収納を簡単に出来るスチール製ブックスタンドを提供する。【解決手段】スチール製ブックスタンドに於いて、底板１と垂直板２、３、４とに分割させた構造とし、底板１に設けた複数のスリット１１及びスリット１２に垂直板２、３、４の直角に折り曲げた部分２２、３２、４２を差し込み、垂直板２、３、４を自由な位置に垂直に固定できる構造を特徴とする。【選択図】図１
0003206368.tif 000002
【実用新案登録請求の範囲】
【請求項１】
スチール製ブックスタンドに於いて、底板１と垂直板２、３、４とに分割させた構造とし、底板１に設けた複数のスリット１１及びスリット１２に垂直板２、３、４の直角に折り曲げた部分２２、３２、４２を差し込み、垂直板２、３、４を自由な位置に垂直に固定できる構造を特徴とするスチール製ブックスタンド。
【請求項２】
底板１に設けた複数のスリット１２に、垂直板６を水平にして、底板１のスリット１２に垂直板６の直角に折り曲げた部分６２を底板１の下側から挿入し、スリット６１に垂直板５の直角に折り曲げた部分５２を差し込めることができるものとし、底板の役目を拡張させる垂直板６と垂直板５とを備えたことを特徴とする請求項１に記載のスチール製のブックスタンド。
【請求項３】
垂直板２、３、４、５及び垂直板６を水平にして、２枚重ねて差し込めるサイズのスリット１１とスリット１２を底板１に複数有することを特徴とする請求項１に記載のスチール製のブックスタンド。
【考案の詳細な説明】
【技術分野】
【０００１】  本考案の内容は、底板と垂直板に分割させた、組み立て式スチール製ブックスタンドの構造に関するものである。
【背景技術】
【０００２】  通常のスチール製ブックスタンドは、垂直部分にその空間体積が占有されて、整理し難い欠点があり、更に保管・梱包・運搬に難点があった。【０００３】  組み立て式スチール製ブックスタンドで多機能なブックスタンドも開発されている。
【特許文献１】特許公開２００１−３４６６３８
【特許文献２】登録実用新案第３１７２１２５号
【特許文献３】登録実用新案第３１４１０５６号
【特許文献４】登録実用新案第３１７７１６３号
【０００４】  従来の組み立て式スチール製ブックスタンドに加え、更に簡単な構造で、空間占有体積減らし、その保管体積や梱包体積を減らせるものが求められている。
【考案の開示】
【考案が解決しようとする課題】
【０００５】  従来の組み立て式スチール製ブックスタンドとは異なり、接続固定金物などを使用せず、収納保管時に垂直板部分による空間占有体積を減らし、収納を簡単に出来るものとすること。【０００６】  従来のスチール製ブックスタンドの底板にスリットを設けることで、垂直板を垂直に保持し、本立て機能を果たせるものとすること。【０００７】  スチール製ブックスタンドの底板に複数のスリット設け、垂直板の直角に折り曲げた部分を底板の適切な位置のスリットに差し込み、本の自重により、垂直板を垂直に固定させること。
【課題を解決しようとするための手段】
図面に従い説明する。
【０００８】  図１に示すように、垂直板２、３、４、５に直角に折り曲げた部分２２、３２、４２、５２を設けたものとした。
【０００９】  図１に示すように、垂直板２、３の直角に曲げた部分２２、３２を底板１のスリット１１に差込み、本の自重だけで、垂直板２、３を垂直に立てることができ、通常のブックスタンドの機能を果たすことが出来るものとした。
【００１０】  図１に示すように、底板１のスリット１２に垂直板４の直角に折り曲げ部４２を差込み、垂直板４にも、本立て機能を持たせたものとした。
【００１１】  図１に示すように、底板１に設けたスリット１２に垂直板６の直角に折り曲げた部分６２を、底板１の下側から差し込んで、底板１に拡張機能を付加することが出来るものとした。
【００１２】  図１に示すように、垂直板６に設けたスリット６１に垂直板５の直角に折り曲げた部分５２を差し込んで、本立ての拡張機能を付加させることが出来るものとした。
【００１３】  図１に示すように、立てる本の量に応じて、使用する底板１のスリット１１の位置を自由に選べば良い。
【００１４】  図１に示すように、立てる本の量に応じて、使用する底板１のスリット１２の位置を選んで垂直板４、５を垂直に立てることが出来るものとした。
【００１５】  図２の側面図に、底板１に垂直板２、３、４、５を差込み、垂直板の直角に折り曲げた部分２２、３２、４２、５２が、本の自重でそれぞれ垂直に固定される様子の示した。
【００１６】  図３に収納の仕方を示した。それぞれの垂直板を底板と水平にして、それぞれ垂直板の直角に折り曲げた部分を底板１のスリット１１、またはスリット１２に差し込むと、収納時の体積を大幅に減らすことが出来る。
【００１７】  図４は底板１のスリット１１またはスリット１２に、垂直板を挿入した場合の側面図で、高さは“ａ”から高さ“ｂ”に大幅に小さくなる為、収納時の体積は、大幅に削減される。
【００１８】  図５は２枚の底板１のスリット１１またはスリット１２は、各垂直板を２枚重ねて挿入できることを示す断面図の一部である。
【考案の効果】
【００１９】  従来のブックスタンドに比較して、占有空間体積が約ａ／ｂとなり、取り扱いや保管が非常に容易になる。
【００２０】  ２枚の底板１のスリット１１またはスリット１２に、各垂直板を２枚重ねて挿入できるので、２組のブックスタンドの占有空間体積も更に削減できる。
【００２１】  底板１のスリット１１を狭い間隔で垂直板を使用すれば、少ない冊数の本でも正しく垂直に立てることが出来る。
【００２２】  図６に示す如く、垂直板３に設けたスリット３１、３３を利用して二段式の本立てや棚として使用出来るものとなる。
【００２３】  図７に示す如く、垂直板２の穴２４、垂直板３の穴３４にプラスチック製ペーパーファスナー７を利用して、見出し票を差し込むことができるものとなる。
【００２４】  図８のペパーファスナー７の穴７４の距離”ｃ“は８ｃｍとなっているので、垂直板２、３に設けた穴２４、３４の穴間隔は２ｃｍの倍数となっており、２ｃｍ毎に表示板８を上下にスライドできるものとなっている。
【考案を実施するための最良の形態】
【００２５】  図１にその最良の使用形態を示した。
【実施例】
【００２６】  図１、図６、図７にその実施例を示した。
【産業上の利用可能性】
【００２７】  特になし。
【図面の簡単な説明】
【００２８】
【図１】組み立て式スチール製ブックスタンドの全体図面
【図２】底板に垂直板を差込み、垂直板を垂直に出来る様子を示した側面図
【図３】収納時に垂直板を底板に水平にして、底板１のスリット１１、１２に、垂直板の直角に折り曲げた部分２２、３２、４２、５２、６２を差し込む様子を示した図面
【図４】垂直板の収納時の側面図
【図５】底板１を２枚を重ねて、そのスリット１１、１２に垂直板２、３、６の直角に折り曲げた部分をそれぞれ２枚差し込めることが出来ることを示した側面図の一部
【図６】ブスチール製ックスタンドを２段積みにさせる場合の組み立て面図
【図７】スチール製ブックスタンドに本の見出し票を付帯させた場合の面図
【図８】プラスチック製ペーパーファスナーの平面図、断面図
【符号の説明】
【００２９】１．スチール製ブックスタンドの底板
１１．スチール製ブックスタンドの底板の両端に設けたスリット
１２．スチール製ブックスタンドの底板の中央に設けたスリット
２．スチール製ブックスタンドの垂直板
２１．スチール製ブックスタンドの垂直板に設けたスリット
２２．スチール製ブックスタンドの垂直板の直角に折り曲げた部分
２３．欠番
２４．スチール製ブックスタンドの垂直板に設けた穴
３．スチール製ブックスタンドの垂直板
３１．スチール製ブックスタンドの垂直板の両端に設けたスリット
３２．スチール製ブックスタンドの垂直板の直角に折り曲げた部分
３３．スチール製ブックスタンドの垂直板の中央に設けたスリット
３４．スチール製ブックスタンドの垂直板に設けた穴
４．スチール製ブックスタンドの垂直板
４１．スチール製ブックスタンドの垂直板に設けたスリット
４２．スチール製ブックスタンドの垂直板の直角に折り曲げた部分
５．スチール製ブックスタンドの垂直板
５１．スチール製ブックスタンドの垂直板に設けたスリット
５２．スチール製ブックスタンドの垂直板の直角に折り曲げた部分
６．スチール製ブックスタンドの垂直板
６１．スチール製ブックスタンドの垂直板に設けたスリット
６２．スチール製ブックスタンドの垂直板の直角に折り曲げた部分
７．プラスチック製ペーパーフスナー
７４．プラスチック製ペーパーフスナーの穴
８．本の見出し票
ａ．垂直板の高さ
ｂ．垂直板を収納した時の高さ
ｃ．プラスチック製ペーパーファスナーの穴の距離
【図１】
0003206368.tif 000003
【図２】
0003206368.tif 000004
【図３】
0003206368.tif 000005
【図４】
0003206368.tif 000006
【図５】
0003206368.tif 000007
【図６】
0003206368.tif 000008
【図７】
0003206368.tif 000009
【図８】
0003206368.tif 000010